(57)【要約】【課題】大電流用途にも適用可能なコモンモードチョークの小型化に好適な構成を提供する。【解決手段】複数の磁心を突き合わせて構成された磁心部と、前記磁心部に巻装されたコイル部を有するコモンモードチョークであって、前記磁心部は、中脚と、前記中脚の両側に配置された一対の外脚を有し、前記コイル部は複数のエッジワイズコイルを有し、前記複数のエッジワイズコイルは、前記磁心部の中脚の軸方向に並置されるように前記中脚に巻装されていることを特徴とする。【選択図】図１
2014138045.tif 000002
【特許請求の範囲】
【請求項１】
複数の磁心を突き合わせて構成された磁心部と、前記磁心部に巻装されたコイル部を有するコモンモードチョークであって、
前記磁心部は、中脚と、前記中脚の両側に配置された一対の外脚を有し、
前記コイル部は複数のエッジワイズコイルを有し、
前記複数のエッジワイズコイルは、前記磁心部の中脚の軸方向に並置されるように前記中脚に巻装されていることを特徴とするコモンモードチョーク。
【請求項２】
前記磁心部の中脚に磁気ギャップが設けられていることを特徴とする請求項１に記載のコモンモードチョーク。
【請求項３】
前記エッジワイズコイルには１ターン毎に線間ギャップが設けられていることを特徴とする請求項１または２に記載のコモンモードチョーク。
【請求項４】
前記磁心部と前記コイル部はケースに収容され、樹脂封止されていることを特徴とする請求項１〜３のいずれか一項に記載のコモンモードチョーク。
【請求項５】
前記ケースの内側には、前記磁心部の一対の外脚をケースの底面側からそれぞれ支持するための支持部が設けられていることを特徴とする請求項４に記載のコモンモードチョーク。
【請求項６】
前記ケースには、前記線間ギャップを形成するための突起群が設けられていることを特徴とする請求項４または５に記載のコモンモードチョーク。
【請求項７】
前記突起群の各突起の高さが、前記エッジワイズコイルの巻回軸方向に対して単調に変化していることを特徴とする請求項６に記載のコモンモードチョーク。
【発明の詳細な説明】
【技術分野】
【０００１】
本発明は、各種の電源装置、電子機器等に用いられるコモンモードチョークに関する。
【背景技術】
【０００２】
従来からコモンモードノイズを除去するためのノイズフィルタとして、トロイダルコアに導線を巻回したコモンモードチョークが広く使用されている（例えば、特許文献１）。かかるコモンモードチョークはトロイダルコアを複数の領域に分け、各領域ごとに巻線を施すことによって構成される。
【０００３】
電源装置など大電流用途に適用されるコモンモードチョークの場合、導線として大きな断面積を確保できる平角線を用いることが有利である。しかし、上記のようなトロイダルコアに平角線を巻装することは困難である。そのため、例えば、特許文献２に示すように、平角線を厚さ方向に重ねるように巻回したエッジワイズコイルを、ロの字状（長方形の枠状）のコアの対向する二つの磁脚に配置した構成が用いられている。
【先行技術文献】
【特許文献】
【０００４】
【特許文献１】特開平６−３６９５１号公報
【特許文献２】特開平１０−９７９２７号公報
【発明の概要】
【発明が解決しようとする課題】
【０００５】
特許文献２では、平角線で構成したコイルの密着巻部を、ギャップを介して複数に分けることによって、小型で高周波インピーダンス特性の良好なコイル部品を提供することを目的としている。しかしながら、特許文献２に示すようなロの字状（長方形の枠状）のコアを用いたコモンモードチョークでは、平角線を用いたコイル自体がコモンモードチョーク全体に占める割合が大きく、コモンモードチョーク全体の小型化には限界があった。
【０００６】
そこで、上記課題に鑑み、本発明は、大電流用途にも適用可能なコモンモードチョークの小型化に好適な構成を提供することを目的とした。
【課題を解決するための手段】
【０００７】
本発明のコモンモードチョークは、複数の磁心を突き合わせて構成された磁心部と、前記磁心部に巻装されたコイル部を有するコモンモードチョークであって、前記磁心部は、中脚と、前記中脚の両側に配置された一対の外脚を有し、前記コイル部は複数のエッジワイズコイルを有し、前記複数のエッジワイズコイルは、前記磁心部の中脚の軸方向に並置されるように前記中脚に巻装されていることを特徴とする。かかる構成によれば、複数のエッジワイズコイルを巻回軸方向に垂直な方向（径方向）に並べる必要がないため、コモンモードチョークの小型化が可能である。
【０００８】
また、前記コモンモードチョークにおいて、前記磁心部の中脚に磁気ギャップが設けられていることが好ましい。
【０００９】
さらに、前記コモンモードチョークにおいて、前記エッジワイズコイルには１ターン毎に線間ギャップが設けられていることが好ましい。
【００１０】
さらに、前記コモンモードチョークにおいて、前記磁心部と前記コイル部はケースに収容され、樹脂封止されていることが好ましい。
【００１１】
さらに、前記コモンモードチョークにおいて、前記ケースの内側には、前記磁心部の一対の外脚をケースの底面側からそれぞれ支持するための支持部が設けられていることが好ましい。
【００１２】
さらに、前記コモンモードチョークにおいて、前記ケースには、前記線間ギャップを形成するための突起群が設けられていることが好ましい。
【００１３】
さらに、前記コモンモードチョークにおいて、前記突起群の各突起の高さが、前記エッジワイズコイルの巻回軸方向に対して単調に変化していることが組立作業上好ましい。
【発明の効果】
【００１４】
本発明によれば、大電流用途にも適用可能なコモンモードチョークの小型化に好適な構成を提供することができる。
【図面の簡単な説明】
【００１５】
【図１】本発明に係るコモンモードチョークの実施形態を示す図である。
【図２】本発明に係るコモンモードチョークの実施形態に用いる磁心部の例を示す図である。
【図３】本発明に係るコモンモードチョークの実施形態に用いるコイル部の例を示す図である。
【図４】本発明に係るコモンモードチョークの他の実施形態を示す図である。
【図５】本発明に係るコモンモードチョークの他の実施形態を示す図である。
【図６】本発明に係るコモンモードチョークの他の実施形態の一部を示す拡大図である。
【図７】本発明に係るコモンモードチョークの他の実施形態を示す図である。
【図８】本発明に係るコモンモードチョークの他の実施形態を示す図である。
【図９】コモンモードチョークのインピーダンス特性を示す図である。
【図１０】コモンモードチョークのインピーダンス特性を示す図である。
【発明を実施するための形態】
【００１６】
以下、本発明に係るコモンモードチョークの実施形態を図を用いて具体的に説明するが、本発明はこれに限定されるものではない。また、各実施形態において説明する構成は、他の実施形態の趣旨を損なわない限りにおいて他の実施形態においても適用することが可能であり、その場合、重複する説明は適宜省略する。
【００１７】
図１は本発明のコモンモードチョークの実施形態を示す図である。図1に示すコモンモードチョーク１００は、複数の磁心１、２を突き合わせて構成された磁心部２００と、磁心部２００に巻装されたコイル部３００を有する。なお、図１の（ａ）は磁心部２００の窓（磁心部に形成された空間部分）を望む方向（ｚ方向）から見たコモンモードチョーク１００の底面図、（ｂ）はコイル部３００の巻回軸方向（ｘ方向）から見た側面図である。
【００１８】
磁心部２００は、中脚６と、前記中脚６の両側に配置された一対の外脚７、８を有する。コイル部３００は複数のエッジワイズコイル３〜５を有し、エッジワイズコイル３〜５は、磁心部２００の中脚６の軸方向（ｘ方向）に並置されるように中脚６に巻装されている。図１に示す実施形態では、三つのエッジワイズコイルを用いて三相のコモンモードチョークが構成されている。
【００１９】
平角線を用いるエッジワイズコイルは大きな導体断面積を確保できるため、大電流用途に好適であるものの、必然的に導体の幅が大きくなる。そのため特許文献２のように複数のエッジワイズコイルをコイルの径方向に並置する構成は、平角線の広い幅方向にコイルを並置することになるため、コモンモードチョークの小型化の障害となる。これに対して、図１に示すように複数のエッジワイズコイル３〜５を同軸上に並置することで、エッジワイズコイルを用いたコモンモードチョークの小型化が可能である。
【００２０】
また、三相のコモンモードチョークを構成する場合には、特許文献２のように、対向する二つのコアに各相に対応した三つのコイルを巻装しようとすると、無駄なく、バランスよく巻くことが困難である。これに対して、図１に示す実施形態のように、一つの中脚に三つのエッジワイズコイルを巻装すれば、同じ巻回形態のエッジワイズコイルを用いることができるとともに、中脚の長さをコイル部の巻装領域に応じて無駄なく設定することができる。
【００２１】
ボビンを介してコイル部３００を磁心部２００に巻装することもできるが、図１に示す実施形態では、ボビンを用いずにコイル部３００を磁心部２００に巻装している。平角線を用いるエッジワイズコイルは、コイル自身に形状維持能があるため、ボビンを省略してコモンモードチョークの小型化や構造の簡略化が可能である。この場合、絶縁シートを介してコイル部３００を磁心部２００に巻装することが好ましい。図１（ｂ）に示すように、エッジワイズコイルの巻端９、１０は磁心部２００のｚ方向の一方側に導出されている。図１（ｂ）では便宜上、ｘ方向端部に配置されたエッジワイズコイルの巻端９、１０しか図示されていないが、中央および反対側のエッジワイズコイルについても同様の形態で巻端が導出されている。
【００２２】
図１（ａ）のＡ−Ａ’の突合せ位置でコモンモードチョーク１００を展開した形態を図１（ｃ）に示す。符号１３は中脚の突合せ面を表し、符号１１および１２はそれぞれ中脚の両側の外脚部７および８の突合せ面を表している。エッジワイズコイルは、円柱状の中脚の形状に合わせて、巻回軸方向から見て円形に巻回されたものを用いている。コイル部（エッジワイズコイル４）の巻回部分は、ｙ方向（中脚と外脚の並置方向）では中脚と外脚の間に収められ、ｚ方向では、磁心部（磁心２）の両側に突出している。外脚をｚ方向に大きくし、コイル部の巻回部分を磁心部から突出しないようにして、コモンモードチョークの組み立て時の安定化を図ることもできる。但し、小型化を優先する場合には、図１に示すようにコイル部の巻回部分が磁心部から突出している構成を採用することが好ましい。
【００２３】
次に、磁心部２００について図２を用いてさらに詳述する。図２（ａ）は磁心部の窓１５を望む方向（ｚ方向）から見た図であり、図２（ｂ）は一方の磁心２の突合せ面側から見た図である。磁心部２００は、同形状のＥＲコア同士を、平行な三つの脚の部分で突き合わせて構成されている。中脚の突合せ面形状（断面形状）は円形であり、外脚の突合せ面形状は略長方形である。但し、磁心部２００を構成する磁心の形状はこれを特に限定するものではない。例えば、図１および２に示す実施形態においては、外脚の断面形状は、コイル部の形状にならって、中脚側が円弧状であるが、円弧部分のない長方形でもよい。また、中脚の断面形状は楕円形でもよいし、正方形、長方形などの角形でもよい。この場合は、コイル部も中脚の断面形状に合わせて、同種の形状にすることが好ましい。但し、コイル長を最小にする観点、エッジワイズコイルの生産性を高める観点からは、中脚の断面形状を円形として、かかる中脚形状に合わせて円形に巻回したエッジワイズコイルを用いることがより好ましい。
【００２４】
磁心１と磁心２はギャップを設けずに突合せることも可能であるが、磁心部２００の中脚に磁気ギャップが設けられた構成がより好ましい。図２に示すように、中脚の突合せ部分に磁気ギャップ１４を設けることによって、磁気飽和を防ぎ、より大きな電流にも対応可能なコモンモードチョークを提供することができる。図１および図２に示す実施形態では、磁気ギャップ１４は中脚の軸方向の中央に設けられ、エッジワイズコイル４の内側に収まるように配置されている。かかる構成によって、磁束の漏洩を抑制することができる。
【００２５】
磁心に用いる磁性体はこれを特に限定するものではない。例えば、Ｍｎ−Ｚｎ系やＮｉ−Ｚｎ系などのフェライト、圧粉磁心、積層磁心等を用いることができる。このうち、フェライトが形状の自由度やコストの観点からより好ましい。
【００２６】
次に、コイル部３００について図３を用いてさらに詳述する。図３（ａ）は磁心部の窓１５を望む方向（ｚ方向）およびコイル部３００の巻回軸方向（ｘ方向）に垂直な方向から見た図であり、図３（ｂ）はコイル部３００の巻回軸方向（ｘ方向）から見た図である。図１および図３に示すように、各エッジワイズコイル３〜５は円形に巻回され、その巻端は一方向（ｚ方向上側）に略平行に導出されている。隣接するエッジワイズコイルの巻端同士は中脚を挟んでｙ軸方向の反対側に位置するように離れて導出されているため、巻端と他の装置、部品等との接続が容易である。また、各エッジワイズコイル３〜５は、絶縁を確保するための所定の間隔を隔てて、互いに離間して配置されている。かかる所定の間隔は各エッジワイズコイル間にスペーサを配置することで確保できる。
【００２７】
各エッジワイズコイル３〜５は、１ターン毎に間隔をおかずに密に巻回して構成することもできるが、図１および図３に示すように、各エッジワイズコイル３〜５には１ターン毎にギャップが設けられていることがより好ましい。エッジワイズコイル３の一部を拡大した概念図を図３（ｃ）に示す。なお、図３（ｃ）では、１ターン毎の位置関係を示す便宜上、コイルの連続性を捨象して各ターンを分離した状態で図示してある。
【００２８】
エッジワイズコイルの導体断面の形状は略長方形（幅＞厚さとする）であり、エッジワイズコイルの巻回軸方向を厚さ、それに垂直な方向を幅とする。エッジワイズコイル３の各ターン３ａ〜３ｄは所定の線間ギャップｄを介して巻回されている。エッジワイズコイルは、各ターンの対向面積が大きいため、線間容量が大きくなりやすい。そのため、特に高周波側でのインピーダンス特性が劣化しやすい。これに対して、各エッジワイズコイル３〜５に１ターン毎に線間ギャップを設けることで、線間容量を低減し、インピーダンス特性を改善することができる。線間ギャップを設けるためには、各ターン間にスペーサを挿入すればよいが、かかる線間ギャップの形成の仕方の詳細については後述する。
【００２９】
各ターン毎の線間ギャップが大きいほど線間容量が小さくなるため、線間ギャップの大きさは、好ましくは平角線の幅の１０％以上、より好ましくは２０％以上である。一方これが大きすぎると、コモンモードチョーク全体が大きくなってしまうので、線間ギャップｄは平角線の厚さｔよりも小さい範囲にすることがより好ましい。さらに、エッジワイズコイルをその巻回軸方向に並置することの、小型化に対する利点を生かすためには、線間ギャップも含めた各エッジワイズコイルの巻回軸方向（ｘ方向）の厚さＴが、それに垂直なｙ方向の最大寸法（図１および３に示すような円形のエッジワイズコイルの場合は外径に相当）よりも、小さいことがより好ましい。各エッジワイズコイルの導体断面の寸法はこれを限定するものではない。但し、各エッジワイズコイルはその軸方向に並置されるので、導体断面の厚さ（平角線の厚さ）ｔに対する幅ｗの比は大きいことが好ましい。例えば、好ましくは、厚さｔに対する幅ｗの比は２以上であり、さらに好ましくは３以上である。
【００３０】
次に、他の実施形態のコモンモードチョークについて図４を参照しながら説明する。図４に示すコモンモードチョーク４００では、磁心部２００とコイル部３００はケース１７に収容され、樹脂封止されている。図４は、箱型のケース１７に収容された磁心部２００とコイル部３００を、ｙ方向（中脚と外脚の並置方向）から透視的に見た図であり、収容されている磁心部２００とコイル部３００は点線で示してある。
【００３１】
収容された磁心部２００とコイル部３００は、巻端がケースの開口側に突出するように、すなわち磁心部２００の窓の部分がケースの開口側になるように配置され、ポッティング用の樹脂１８によって封止されている。樹脂１８はコイル部３００の巻回部分が覆われる高さまで装填され、樹脂１８の表面にはエッジワイズコイルの巻端部分のみが露出している。磁心部２００とコイル部３００を樹脂１８で樹脂封止することによって、各エッジワイズコイル間およびコイル部／磁心部間の絶縁をより確実に高めることができる。
【００３２】
かかる樹脂としては、例えばシリコーン樹脂、ウレタン樹脂、エポキシ樹脂など、絶縁性に優れる樹脂が用いられる。また、ケースの材質もこれを特に限定するものではなく、一般的に用いられるＰＢＴ、ＰＥＴなどの樹脂を用いることができる。
【００３３】
次に、他の実施形態のコモンモードチョークについて図５を参照しながら説明する。図５に示すコモンモードチョーク５００は、図４に示す実施形態と同様、磁心部２００とコイル部３００はケース１９に収容され、樹脂封止されている。かかる樹脂封止に係る部分は図４に示す実施形態と同様であるので説明を省略する。図５に示す実施形態は、ケースの内側の構造が図４に示す実施形態のそれと異なる。図５はコモンモードチョーク５００をコイル部の軸方向（ｘ方向）から透視的に見た側面図である。
【００３４】
ケース１９の内側には、磁心部２００の一対の外脚をケースの底面側からそれぞれ支持するための支持部２０が、ｘ方向に延設された状態で設けられている。かかる支持２０よって、磁心部２００の中脚および外脚で構成される面がケース１９の底面２１に平行になるように支持され、樹脂１８から突出する巻端の方向も安定する。支持部２０を設けていない、図４に示す実施形態においても、磁心部とケースの側壁との間のクリアランスを適正な範囲に設定することで、磁心部とコイル部とのある程度の位置決めは可能である。しかしながら、上記のような支持部２０を設けることで、磁心部２０、さらにはそれに巻装されたコイル部の位置決め、および固定がより確実なものとなる。
【００３５】
ケース１９内の両側に設けられた支持部２０はケース１９内のｘ方向全体に渡って延設されていてもよいし、複数箇所に分けて配置されていてもよい。また、図５に示す実施形態では、支持部２０はケース１９の底面２１および側壁から突出するように形成され、ｘ方向から見たその断面は矩形であるが、支持部２０の構成はこれに限定するものではない。例えば、支持部は、側面から離間した位置で底面から突出するように形成してもよいし、逆に底面から離間した位置で側壁から突出するように設けてもよい。また、支持部の断面形状も矩形に限定するものではなく、三角形等、磁心部２００を支持できる形状であればよい。また、支持部２０が磁心部２００を支持する位置は、磁心部２００の下端がケース１９の底面から離間するような位置であることがより好ましい。
【００３６】
なお、支持部２０に相当する構成をケースと別体に用意して磁心部２００の下に挿入して位置決めを行うことも可能であるが、部品点数削減のためには、図５に示すようにケースと一体であることがより好ましい。
【００３７】
次に、コモンモードチョークの他の実施形態について図６を参照しながら説明する。図６は図４、図５等で示したコモンモードチョークのケース部分の変形例である。それ以外の部分は図４等に示した実施形態と同様であるので説明を省略する。図６は図３（ｃ）と同様に、エッジワイズコイル３の一部とそれに隣接したケースの底面を拡大した概念図である。
【００３８】
上述のようにエッジワイズコイル３の各ターン３ａ〜３ｄを所定の線間ギャップｄを介して巻回する場合、各ターン間にはスペーサが配置される。スペーサはコイル部の側面側または上面側から挿入することができるが、スペーサの挿入が煩雑であるとともに、位置決めが安定しにくい。これに対して図６（ａ）に示す実施形態では、ケースに、線間ギャップを形成するための突起群２３が設けられている。スペーサをケースと一体とすることで、スペーサの挿入に係る上記問題を解決することができる。
【００３９】
図６（ａ）では、ケースの底面２２から上方に向かって同じ高さの突起群２３が設けられ、各突起が各ターン間に挿入されて、線間ギャップが形成される。ｙ方向から見た各突起の断面形状は略矩形であるが、その先端は丸くしてあり、ターン間に挿入しやすくなっている。丸くする代わりに、先端部分を三角形にしてもよい。なお、突起の断面形状はこれを限定するものではないが、コイル部が抜けにくくなるように、底面から一定の高さまでは幅が変わらない略矩形が好ましい。突起群２３はケース底面のｙ方向全体にわたって延設してもよいし、コイル部の下端の部分のみ、すなわちケース底面のｙ方向の中央に跨った領域に部分的に設けてもよい。また、突起部を、底面に代えて、または底面に加えて、側面や図５に示すような支持部から突出するように形成することもできる。
【００４０】
図６（ｂ）に示す実施形態でも、図６（ａ）に示す実施形態と同様に、ケースの底面２４から上方に向かって突起群２５が設けられ、各突起が各ターン間に挿入されて、線間ギャップが形成される。図６（ｂ）に示す実施形態では、突起群２５の各突起の高さが、エッジワイズコイルの巻回軸方向に対して単調に変化している。かかる構成を採用することによって、各突起を各ターン間に挿入する際に、高い方の突起から順番に挿入することができるため、突起の高さが同じ場合に比べて、組立作業の煩雑さが大幅に改善される。
【００４１】
上記の実施形態では、一対のＥ字状磁心を突き合わせて磁心部を構成しているが、磁心部の構成の仕方はこれに限定されるものではない。例えば、図７に示すようにＥ字状磁心２６とＩ字状磁心２７とを突き合わせて構成した磁心部を用いてもよい。かかる構成において磁気ギャップを形成する場合には、通常磁気ギャップ２８はエッジワイズコイルの外側に配置される。エッジワイズコイルを中脚の最先端に配置して、磁気ギャップ２８を覆うように配置することも可能である。
【００４２】
また、上記の実施形態は、三相のコモンモードチョークを対象としているが、上述の各構成が、単相のコモンモードチョークについても同様に適用できることは言うまでもない。図８はその一例である。中脚と、前記中脚の両側に配置された一対の外脚を有する磁心部は、Ｅ字状の磁心２９、３０を突き合わせて構成され、コイル部は二つのエッジワイズコイル３１、３２で構成され、二つのエッジワイズコイル３１、３２は、磁心部の中脚の軸方向に並置されるように中脚に巻装されている。かかる場合も三相の場合と同様に、コモンモードチョークの小型化等の効果を得ることができる。なお、図８に示す実施形態の場合、磁気ギャップはエッジワイズコイルの外側（二つのエッジワイズコイルの間）に配置されているが、中脚および外脚の長さ異なる二つの磁心を用いて磁気ギャップの位置を中央からずらす等の方法により、磁気ギャップをエッジワイズコイルの内部に配置することもできる。
【実施例】
【００４３】
以下の要領で、図４に示す実施形態のコモンモードチョークを作製した。ＥＲ形状のＭｎ−Ｚｎ系フェライトコアを突き合わせて磁心部とした。中脚の径は１４.０ｍｍ、磁気ギャップの大きさは０.１５ｍｍとした。また、厚さｔが１.４ｍｍ、幅ｗが５.５ｍｍの断面寸法を有する平角線を４ターン巻回して一つの円形のエッジワイズコイルを形成し、かかるエッジワイズコイル三つで磁心部を構成した。エッジワイズコイルの内径は１５.６ｍｍ、外径は２６.６ｍｍであった。上記コイル部に上記磁心部の中脚を挿入した後、ケースに収容した。各ターン間にスペーサを挿入して１ｍｍの線間ギャップを形成した後、シリコン樹脂で封止した。
【００４４】
得られたコモンモードチョークは、ケース外形寸法で、縦（ｙ方向）４５ｍｍ、横（ｘ方向）５３ｍｍ、高さ（ｚ方向）４０ｍｍであり、ケース込みのコモンモードチョークの縦方向の寸法をエッジワイズコイルの外径の二倍未満に抑えることができた。また、スペーサによるギャップを設けないで構成したコモンモードチョークも作製した。
【００４５】
各ターン間に線間ギャップを設けたコモンモードチョークのインピーダンスの周波数特性を図９に、各ターン間に線間ギャップを設けなかったコモンモードチョークのインピーダンス周波数特性を図１０に示した。図９および図１０から明らかなように、スペーサによって各ターン間に線間ギャップを設けることで、高周波側のインピーダンス特性が改善されており、エッジワイズコイルコイルの各ターン間に線間ギャップを設ける構成が特に有効であることが確認された。また、各ターン間に線間ギャップを設けなかったコモンモードチョークでは、樹脂封止前に比べて樹脂封止後の高周波側のインピーダンス特性が劣化するのが確認された。一方、各ターン間に線間ギャップを設けたコモンモードチョークでは、樹脂封止の前後で高周波側のインピーダンス特性に変化は見られず、かかる構成が樹脂封止をする場合に特に有効であることもわかった。
【符号の説明】
【００４６】
１、２：磁心
３〜５：エッジワイズコイル
６：中脚
７、８：外脚
９：巻端
１０：巻端
１１〜１３：突合せ面
１４：磁気ギャップ
１５：窓
１６：線間ギャップ
１７：ケース
１８：樹脂
１９：ケース
２０：支持部
２１：底面
２２：底面
２３：突起群
２４：底面
２５：突起群
２６、２７：磁心
２８：磁気ギャップ
２９、３０：磁心
３１、３２：エッジワイズコイル
３３：磁気ギャップ
１００：コモンモードチョーク
２００：磁心部
３００：コイル部
４００、５００：コモンモードチョーク
【図１】
2014138045.tif 000003
【図２】
2014138045.tif 000004
【図３】
2014138045.tif 000005
【図４】
2014138045.tif 000006
【図５】
2014138045.tif 000007
【図６】
2014138045.tif 000008
【図７】
2014138045.tif 000009
【図８】
2014138045.tif 000010
【図９】
2014138045.tif 000011
【図１０】
2014138045.tif 000012